【手続補正書】
【提出日】平成18年1月26日(2006.1.26)
【手続補正１】
【補正対象書類名】明細書
【補正対象項目名】請求項１
【補正方法】変更
【補正の内容】
【請求項１】  式（Ｉ）
【化１】
2002502840.tif 000001
の化合物またはその生理学的に許容し得る塩。
上記式において、記号は下記の意味を有する：
Ｒ(１)は、
１．１、２、３、４、５、６、７または８個の炭素原子を有するアルキル；
２．１個〜すべての水素原子が弗素によって置換されている１、２、３、４、５、６、７または８個の炭素原子を有するアルキル；
３．２、３、４、５、６、７、８、９、１０、１１または１２個の炭素原子を有するアルケニル；
４．−ＣnＨ2n-nn−Ｙ
（ｎｎは、０または２であり、ｎは、０、１、２、３または４であり、ｎｎが２に等しい場合はｎは０または１に等しくない）；
５．−ＣnＨ2n-nn−Ｙ
（ｎｎは、０または２であり、ｎは、１、２、３または４であり、ｎｎが２に等しい場合はｎは１に等しくなく、２価の基−ＣnＨ2n-nn−における１、２または３個の水素原子は、相互に独立して、
１．６、７、８、９、１０、１１、１２、１３または１４個の炭素原子を有するアリール；
２．アミノ；
３．ＮＲ(22)Ｒ(23)；
４．アルコキシカルボニル；
５．ＣＯＯＲ(16)；
６．１、２、３または４個の炭素原子を有するアルキル；
７．（Ｃ6〜Ｃ14）−アリール−（Ｃ1〜Ｃ4）−アルキルカルボニル；
からなる群からの基によって置換されている）であり；
Ｒ(２)は、
１．水素；
２．１、２、３、４、５、６、７または８個の炭素原子を有するアルキル；
３．１個〜すべての水素原子が弗素によって置換されている１、２、３、４、５、６、７または８個の炭素原子を有するアルキル；
４．２、３、４、５、６、７、８、９、１０、１１または１２個の炭素原子を有するアルケニル；
５．２、３、４、５、６、７または８個の炭素原子を有するアルキニル；
６．−ＣnＨ2n-nn−Ｚ
（ｎｎは、０または２であり、ｎは０、１、２、３または４であり、ｎｎが２に等しい場合はｎは０または１に等しくない）；
７．−ＣnＨ2n-nn−Ｚ
（ｎｎは、０または２であり、ｎは、１、２、３または４であり、ｎｎが２に等しい場合はｎは１に等しくなく、２価の基−ＣnＨ2n-nn−における１、２または３個の水素原子は、相互に独立して、
１．６、７、８、９、１０、１１、１２、１３または１４個の炭素原子を有するアリール；
２．アミノ；
３．ＮＲ(22)Ｒ(23)；
４．（Ｃ1〜Ｃ4）−アルコキシカルボニル；
５．ＣＯＯＲ(16)；
６．１、２、３または４個の炭素原子を有するアルキル；
からなる群からの基によって置換されている）であり；
Ｒ(３)およびＲ(４)は、相互に独立して、水素または１、２、３、４、５、６、７または８個の炭素原子を有するアルキルであり；
Ｒ(５)、Ｒ(６)およびＲ(７)は、相互に独立して、水素、１、２、３、４、５、６、７または８個の炭素原子を有するアルキル、Ｆ、Ｃｌ、Ｂｒ、Ｉ、ＣＦ3、−ＣＮ、−ＮＯ2、ＳＯq−Ｒ(８)、ＣＯ−Ｒ(21)またはＯ−Ｒ(10)であり；
Ｒ(８)は、１、２、３、４、５、６、７または８個の炭素原子を有するアルキル、ＮＲ(11)Ｒ(12)または置換されていないかまたはＦ、Ｃｌ、Ｂｒ、Ｉ、ＣＦ3、メチル、メトキシ、ヒドロキシルまたはＮＲ(11)Ｒ(12)からなる群からの１、２または３個の同一または異なる基によって置換されているフェニルであり;
Ｒ(９)およびＲ(21)は、相互に独立して、水素、１、２、３、４、５、６、７または８個の炭素原子を有するアルキルまたはＯＲ(13)であり；
Ｒ(10)は、水素、場合によっては（Ｃ1〜Ｃ4）−アルコキシによって置換されていてもよい１、２、３、４、５、６、７または８個の炭素原子を有するアルキル、または置換されていないかまたはＦ、Ｃｌ、Ｂｒ、Ｉ、ＣＦ3、メチル、メトキシ、ヒドロキシルまたはＮＲ(11)Ｒ(12)からなる群からの１、２または３個の同一または異なる基によって置換されているフェニルであり；
Ｒ(11)、Ｒ(12)、Ｒ(19)およびＲ(20)は、相互に独立して、水素、１、２、３または４個の炭素原子を有するアルキルまたは（Ｃ1〜Ｃ4）−アルカノイルであり；
Ｒ(13)は、水素または１、２、３、４、５、６、７または８個の炭素原子を有するアルキルであり；
Ｘは、カルボニル、−ＣＯ−ＮＨ−、−ＣＯ−ＣＯ−またはスルホニルであり；
ＹおよびＺは、相互に独立して、
１．６、７、８、９、１０、１１、１２、１３または１４個の炭素原子を有するアリール；
２．１、２、３、４、５、６、７または８個の炭素原子を有するアルキル、６、７、８、９、１０、１１、１２、１３または１４個の炭素原子を有するアリール、Ｆ、Ｃｌ、Ｂｒ、Ｉ、ＣＦ3、ＳＯqＲ(18)、ＯＲ(16)、ＮＲ(19)Ｒ(20)、−ＣＮ、ＮＯ2またはＣＯ−Ｒ(９)からなる群からの１、２、３、４または５個の同一または異なる基によって置換されているかまたは２個の基が一緒になって縮合したヘテロシクリル基を形成する１．において定義された基；
３．１、２、３、４、５、６、７、８または９個の炭素原子を有するヘテロアリール；
４．Ｆ、Ｃｌ、Ｂｒ、Ｉ、ＣＦ3、ＣＨ3、メトキシ、ヒドロキシルまたはＮＲ(11)Ｒ(12)からなる群からの１、２または３個の同一または異なる基によって置換されている３．において定義された基；
５．３、４、５、６、７、８、９または１０個の炭素原子を有するシクロアルキル；
６．６、７、８、９、１０、１１、１２、１３または１４個の炭素原子を有するアリールによって置換された５．において定義された基；
７．Ｏ−Ｒ(14)；
８．Ｏ−Ｒ(17)；
９．−ＳＯ2−Ｒ(14)；
10．アリールアルキルカルボニル；または
11．ヘテロシクリル
であり；
Ｒ(14)およびＲ(17)は、相互に独立して、
１．水素；
２．１、２、３、４、５、６、７または８個の炭素原子を有するアルキル；
３．２、３、４、５、６、７、８、９、１０、１１または１２個の炭素原子を有するアルケニル；
４．−ＣnＨ2n-nn−フェニル
（ｎｎは０または２であり、ｎは０、１、２、３または４であり、ｎｎが２に等しい場合はｎは０または１に等しくない）；
５．フェニル部分が１、２、３、４、５、６、７または８個の炭素原子を有するアルキル、Ｆ、Ｃｌ、Ｂｒ、Ｉ、ＣＦ3、ＳＯqＲ(15)、ＯＲ(16)、ＮＲ(11)Ｒ(12)、−ＣＮ、−ＮＯ2またはＣＯ−Ｒ(９)からなる群からの１、２または３個の同一または異なる基によって置換されている４．において定義された基；
であり；
Ｒ(15)およびＲ(18)は、相互に独立して、１、２、３または４個の炭素原子を有するアルキル、１個〜すべての水素原子が弗素により置換されている１、２、３または４個の炭素原子を有するアルキルまたはＮＲ(11)Ｒ(12)であり；
Ｒ(16)は、
１．水素；
２．１、２、３または４個の炭素原子を有するアルキル；
３．（Ｃ1〜Ｃ4）−アルコキシによって置換された１、２、３または４個の炭素原子を有するアルキル；
４．１個〜すべての水素原子が弗素により置換された１、２、３または４個の炭素原子を有するアルキル
５．６、７、８、９、１０、１１、１２、１３または１４個の炭素原子を有するアリール；
６．Ｆ、Ｃｌ、Ｂｒ、Ｉ、ＣＦ3、ＮＲ(19)Ｒ(20)、−ＣＮ、ＮＯ2からなる群からの１、２または３個の同一または異なる基によって置換されている５．において定義された基であり；
Ｒ(22)およびＲ(23)は、相互に独立して、水素またはＣＯ−ＯＲ(24)であり;
Ｒ(24)は、水素、１、２、３、４、５、６、７または８個の炭素原子を有するアルキルまたは−ＣnＨ2n−フェニル（ｎは、１、２、３または４に等しい）であり；
ｑは、相互に独立して、０、１または２である。